【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
マルチメディアブロードキャストマルチキャストサービス(MBMS)クライアントおよび動的適応ストリーミングオーバーHTTP(DASH)クライアントを有するクライアントデバイスによって、メディアデータを取り出す方法であって、
複数の広告グループの広告メディアデータと関連付けられた広告グループ識別子のセットを決定するステップであって、前記広告メディアデータが、メインメディアコンテンツに関する広告ブレークの間に再生され、前記メインメディアコンテンツがマニフェストファイルと関連付けられる、決定するステップと、
前記マニフェストファイルに対する更新を取り出すステップであって、前記更新が、前記広告メディアデータに対応するリモートPeriodを定義し、前記マニフェストファイルに対する前記更新が、識別子属性を含む拡張マークアップ言語リンク付け言語(XLink)ユニフォームリソースロケータ(URL)に関するテンプレートを特定する、取り出すステップと、
前記DASHクライアントに関するユーザの特性に少なくとも部分的に基づいて、前記セットから前記広告グループのうちの1つを選択するステップと、
前記選択された広告グループに対応する識別子値を前記XLink URLの前記識別子属性に割り当てるステップと、
前記リモートPeriodから前記選択された広告グループの広告メディアデータを取り出すために、前記選択された広告グループに対応する前記識別子値を含む前記XLink URLをデリファレンスするステップであって、前記XLink URLをデリファレンスするステップが、前記識別子値を含む前記XLink URLを指定する要求を前記MBMSクライアントに送るステップを含む、デリファレンスするステップと、
前記広告メディアデータをメディアアプリケーションに提供するステップと
を含む、方法。
【請求項２】
前記DASHクライアントからの前記識別子値を含む前記XLink URLを受信するステップと、
ブロードキャストトランスポートまたはマルチキャストトランスポートを介して、前記リモートPeriodに関するデータを受信するステップと、
前記ブロードキャストトランスポートまたは前記マルチキャストトランスポートに関するファイル配信テーブル(FDT)が前記XLink URLの前記識別子値と整合する識別子値を含むとき、前記リモートPeriodに関する前記データが前記XLink URLと整合すると決定するステップと、
前記リモートPeriodに関する前記データが前記XLink URLと整合すると決定することに応答して、前記リモートPeriodに関する前記データを前記DASHクライアントに配信するステップと
をさらに含む、請求項1に記載の方法。
【請求項３】
前記リモートPeriodに関する前記データを受信するステップが、前記広告グループの各々に関するデータを受信するステップを含む、請求項2に記載の方法。
【請求項４】
前記リモートPeriodに関する前記データを受信するステップが、前記XLink URLの前記識別子値に対応する前記広告グループ以外の前記広告グループのすべてに関するデータを廃棄するステップを含む、請求項2に記載の方法。
【請求項５】
前記DASHクライアントからの前記識別子値を含む前記XLink URLを受信するステップと、
ブロードキャストトランスポートまたはマルチキャストトランスポートを介して、前記リモートPeriodに関するデータを受信するステップと、
フィルタ記述フラグメントのgroupIDFilterシンタックス要素の値が前記XLink URLの前記識別子値に対応するとき、前記リモートPeriodに関する前記データが前記XLink URLと整合すると決定するステップと、
前記リモートPeriodに関する前記データが前記XLinkと整合すると決定することに応答して、前記リモートPeriodに関する前記データを前記DASHクライアントに配信するステップと
をさらに含む、請求項1に記載の方法。
【請求項６】
前記取り出すステップが、
マニフェストファイル更新期間を定義するデータを取得するステップ
を含み、
前記更新を取り出すステップが、前記マニフェストファイル更新期間に従って、前記更新を取り出すステップを含む、請求項1に記載の方法。
【請求項７】
前記マニフェストファイル更新期間を定義する前記データが、前記マニフェストファイルのMPD@minimumUpdatePeriod要素を含む、請求項6に記載の方法。
【請求項８】
前記マニフェストファイルがメディアプレゼンテーション記述を含む、請求項1に記載の方法。
【請求項９】
前記DASHクライアントによって、前記ユーザまたは前記デバイスに関連する状態情報を前記クライアントデバイスの前記MBMSクライアントに提供するステップと、
前記MBMSクライアントによって、ブロードキャストトランスポートまたはマルチキャストトランスポートを介して、前記広告メディアデータを受信するステップと、
前記MBMSクライアントによって、前記状態情報を一意の広告グループ識別子にマッピングするステップと
をさらに含む、請求項1に記載の方法。
【請求項１０】
前記状態情報が、クッキー、加入情報、ユーザプリファレンス&プロファイル、および使用履歴のうちの1つまたは複数を含む、請求項9に記載の方法。
【請求項１１】
選択するステップが、ユーザプリファレンスおよびプロファイルデータ、コンテンツ消費履歴、または広告推奨エンジンのうちの少なくとも1つに基づいて選択するステップを含む、請求項1に記載の方法。
【請求項１２】
実行されると、クライアントデバイスのプロセッサに、請求項1から11のいずれか一項に記載の方法を行わせる命令を記憶したコンピュータ可読記憶媒体。
【請求項１３】
マルチメディアブロードキャストマルチキャストサービス(MBMS)クライアントおよび動的適応ストリーミングオーバーHTTP(DASH)クライアントを有するクライアントデバイスであって、
複数の広告グループの広告メディアデータと関連付けられた広告グループ識別子のセットを決定するための手段であって、前記広告メディアデータが、メインメディアコンテンツに関する広告ブレークの間に再生され、前記メインメディアコンテンツがマニフェストファイルと関連付けられる、決定するための手段と、
前記マニフェストファイルに対する更新を取り出すための手段であって、前記更新が、前記広告メディアデータに対応するリモートPeriodを定義し、前記マニフェストファイルに対する前記更新が、識別子属性を含む拡張マークアップ言語リンク付け言語(XLink)ユニフォームリソースロケータ(URL)に関するテンプレートを特定する、取り出すための手段と、
前記DASHクライアントに関するユーザの特性に少なくとも部分的に基づいて、前記セットから前記広告グループのうちの1つを選択するための手段と、
前記選択された広告グループに対応する識別子値を前記XLink URLの前記識別子属性に割り当てるための手段と、
前記リモートPeriodから前記選択された広告グループの広告メディアデータを取り出すために、前記選択された広告グループに対応する前記識別子値を含む前記XLink URLをデリファレンスするための手段であって、前記XLink URLをデリファレンスするための手段が、前記識別子値を含む前記XLink URLを指定する要求を前記MBMSクライアントに送るための手段を含む、デリファレンスするための手段と、
前記広告メディアデータをメディアアプリケーションに提供するための手段と
を含む、クライアントデバイス。